(57)【要約】      （修正有）【課題】カキ殻を有効的に再利用することができるとともに、従来よりも集水性能が向上された貯水装置を提供する。【解決手段】貯水装置１は、雨水を濾過可能な濾過部１７を備えるとともに、地中に埋設される貯水部１０と、少なくとも一部が地面に露出されるように設置される透水性コンクリート２１を備える集水部２０と、透水性コンクリートを透過した雨水を集水部から貯水部へ導流する第１導管３０と、貯水部において貯水された濾過後の水を貯水部から外部へ送出すための送出部４０と、を有し、貯水部が備える濾過部には、カキ殻が含まれる。【選択図】図２
0003215744.tif 000002
【実用新案登録請求の範囲】
【請求項１】
雨水を濾過可能な濾過部を備えるとともに、地中に埋設される貯水部と、
少なくとも一部が地面に露出されるように設置される透水性コンクリートを備える集水部と、
前記透水性コンクリートを透過した雨水を前記集水部から前記貯水部へ導流する第１導管と、
前記貯水部において貯水された濾過後の水を前記貯水部から外部へ送出すための送出部と、を有し、
前記貯水部が備える前記濾過部には、カキ殻が含まれる、貯水装置。
【請求項２】
前記透水性コンクリートの構成材料には、カキ殻が含まれる、請求項１に記載の貯水装置。
【請求項３】
建物外装を伝わる雨水を前記貯水部へ導流する第２導管を有する請求項１または請求項２に記載の貯水装置。
【請求項４】
前記貯水部で貯水した水を受け入れ可能な補助貯水部と、
前記貯水部から前記補助貯水部へ前記水を導流する補助導管と、を有し、
前記補助貯水部は、前記水を外部へ放出可能な透水性を備えるとともに、地中に埋設される、請求項１〜３のいずれか１項に記載の貯水装置。
【考案の詳細な説明】
【技術分野】
【０００１】
本考案は、貯水装置に関する。
【背景技術】
【０００２】
カキ殻は、カキの身（食用部分）を食した後、廃棄物として扱われる。一部の市町村では、年間数千トンものカキ殻が排出される。そのため、近年、カキ殻の廃棄処分に対するコストや手間の低減を図ることを目的として「カキ殻の再利用」に注目が集まっている。
【０００３】
カキ殻の再利用方法として、例えば、カキ殻が備える浄水機能に着目し、雨水等の自然水を浄化する浄化装置（浄化槽）への設置等が提案されている（例えば、特許文献１および特許文献２を参照）。
【先行技術文献】
【特許文献】
【０００４】
【特許文献１】特開２００９−９０２４３号
【特許文献２】特開平１０−３１３６７８号
【考案の概要】
【考案が解決しようとする課題】
【０００５】
他方で、雨水を濾過し、濾過後の水を貯水および利用可能にする貯水装置には、雨水をより効率的に集水するための工夫が求められている。
【０００６】
本考案は、カキ殻を有効的に再利用することができるとともに、従来よりも集水性能が向上された貯水装置を提供することを目的とする。
【課題を解決するための手段】
【０００７】
本考案に係る貯水装置は、雨水を濾過可能な濾過部を備えるとともに、地中に埋設される貯水部と、少なくとも一部が地面に露出されるように設置される透水性コンクリートを備える集水部と、前記透水性コンクリートを透過した雨水を前記集水部から前記貯水部へ導流する第１導管と、前記貯水部において貯水された濾過後の水を前記貯水部から外部へ送出すための送出部と、を有し、前記貯水部が備える濾過部には、カキ殻が含まれることを特徴とする。
【考案の効果】
【０００８】
本考案によれば、集水部は、透水性コンクリートを透過する雨水を集水することができる。集水部が集水した雨水は、第１導管を経由して貯水部へ導流される。貯水部が備える濾過部は、雨水を濾過して雨水の清浄度を高めることにより、雨水を生活水として利用可能にする。したがって、本考案は、カキ殻を有効的に再利用することができるとともに、従来よりも集水性能が向上された貯水装置を提供することができる。
【図面の簡単な説明】
【０００９】
【図１】実施形態に係る貯水装置を示す概略斜視図である。
【図２】実施形態に係る貯水装置を設置する地中の概略断面図である。
【考案を実施するための形態】
【００１０】
以下、添付した図面を参照して、本考案の実施形態を説明する。なお、図面の説明において、同一の要素には同一の符号を付し、重複する説明を省略する。また、図面の寸法比率は、説明の都合上誇張されており、実際の比率とは異なる場合がある。
【００１１】
図１および図２に示すように、本実施形態に係る貯水装置１は、雨水を濾過可能な濾過部１７を備えるとともに、地中に埋設される貯水部１０と、少なくとも一部が地面に露出されるように設置される透水性コンクリート２１を備える集水部２０と、透水性コンクリート２１を透過した雨水を集水部２０から貯水部１０へ導流する第１導管３０と、貯水部１０において貯水された濾過後の水を貯水部１０から外部へ送出すためのポンプ（「送出部」に相当する）４０と、を有している。
【００１２】
図１および図２では、雨水等の水の流れを矢印により概略的に図示している。また、貯水装置１の設置状態を簡略的に説明するために、地面を符号Ｇ１で示し、地中を符号Ｇ２で示している。
【００１３】
図１に示すように、本実施形態では、家屋１００等の建物が建設された一般家庭の敷地内に貯水装置１を設置した例を示す。なお、貯水装置１の設置場所は、特に限定されず、私有地および公有地の別は問わないし、道路や商業施設等であってもよい。
【００１４】
図２に示すように、雨水は、透水性コンクリート２１に到達する（透水性コンクリート２１に降り注いだり、地面等を伝って透水性コンクリート２１まで移動したりすること）と、透水性コンクリート２１を透過する。透水性コンクリート２１を透過した雨水は、透水性コンクリート２１の底部側に配置された集水流路２２に流入する。集水流路２２は、第１導管３０と連結されている。そのため、透水性コンクリート２１を透過した雨水は、集水流路２２および第１導管３０を経由して、貯水部１０に流れ込む。
【００１５】
図２に示すように、透水性コンクリート２１の底部側（図面下側）は、透水性コンクリート２１に到達した雨水を集水流路２２へ効率的に導流することができるように、貯水部１０側に向けて斜めに傾斜した断面形状（テーパー状の断面形状）に形成している。なお、透水性コンクリート２１は、集水流路２２への雨水の流入を効率良く行う観点より、例えば、図２に示す断面の直交方向（奥行方向）の両側面が集水流路２２へ向けて先細るテーパー形状（透水性コンクリート２１を地上側から平面視した際にテーパー形状となるもの）を有していることがより好ましい。
【００１６】
透水性コンクリート２１としては、例えば、水の透過性を備える公知のものを利用できる。また、透水性コンクリート２１は、例えば、カキ殻を構成材料に含むものを利用できる。カキ殻は、所定の大きさに粉砕したものや粉末状に加工したものを透水性コンクリート２１の構成材料として含ませることができる。透水性コンクリート２１の構成材料にカキ殻を利用することにより、貯水装置１におけるカキ殻の再利用率を高めることができる。
【００１７】
図２に示すように、貯水部１０は、水を貯水可能なタンク本体１１と、タンク本体１１の上部に配置された接続部１３と、接続部１３とタンク本体１１の内部を連結する配管１４と、開閉可能な蓋部１５と、タンク本体１１の内部に配置された濾過部１７と、を有している。
【００１８】
貯水部１０の接続部１３には、貯水部１０と集水部２０とを連結する第１導管３０と、家屋１００の屋根１１０や壁面等（「外装」に相当する）を伝わる雨水を貯水部１０へ導流する第２導管５０が接続されている。また、接続部１３には、貯水部１０に貯水された濾過後の水を外部に送出するためのポンプ本体４１を配置している。
【００１９】
図１に示すように、第２導管５０は、家屋１００の屋根１１０に設置された雨樋と連結している。そのため、家屋１００の屋根１１０に降り注いだ雨は、雨樋、第２導管５０を経由して、貯水部１０に流れ込む。図１に示すように、第２導管５０の一部は、例えば、地中に埋設することができる。
【００２０】
図２に示すように、ポンプ４０の給水部（給水管）４３は、貯水部１０から水を汲み上げ可能にするために、その下端部側が貯水部１０の内部に配置されている。ポンプ４０の送出チューブ４２は、地上に導出している。ポンプ４０としては、公知の揚水ポンプを利用することができる。なお、貯水部１０の接続部１３において、ポンプ本体４１が配置される部分と、雨水等が流れ込む部分とは、雨水が互いに行き来しないように別室にすることができる。
【００２１】
タンク本体１１は、濾過部１７を個別に備える互いに仕切られた複数の容器で構成することができる。また、タンク本体１１は、所定の容積を備えた一つの貯水空間を備える単一の容器で構成することも可能である。
【００２２】
貯水部１０の内部に配置された濾過部１７には、カキ殻（図示省略）が含まれている。濾過部１７は、その一部にカキ殻が含まれていれば、具体的な構造は特に限定されないが、本実施形態では、ネット（収容部材）にカキ殻を収容したものを濾過部１７として利用している。カキ殻を収容したネットは、例えば、タンク本体１１の内部に吊して配置することができる。なお、濾過部１７は、例えば、カキ殻の破砕片やその他の浄水機能を備える部材（竹炭等）等で構成される浄水層の形態であってもよい。濾過部１７の構成部材としてカキ殻を利用することにより、貯水装置１におけるカキ殻の再利用率を高めることができ、かつ、貯水装置１の製造コストや設置コストを削減することができる。
【００２３】
図２に示すように、貯水部１０の接続部１３に流れ込んだ雨水は、配管１４を経由して貯水部１０の底部側に流入する。雨水は、貯水部１０内の水量が増加すると、貯水部１０の上部側に移動しつつ、濾過部１７を通過する。雨水は、濾過部１７を通過することにより、浄水される。
【００２４】
図２に示すように、貯水装置１は、貯水部１０で貯水した水を受け入れ可能な補助貯水部６０と、貯水部１０から補助貯水部６０へ水を導流する補助導管７０と、を有している。
【００２５】
補助貯水部６０は、貯水部１０で貯水した水（例えば、濾過後の水）が一定量に達すると、補助導管７０を介して濾過後の水を受け入れる。補助貯水部６０は、貯水部１０で濾過後の水がオーバーフロー（溢れ出る）するのを防止する。また、補助貯水部６０は、透水性を備える材料で構成さており、地中に埋設している。そのため、補助貯水部６０へ導流された水は、補助貯水部６０から地中に放出される。したがって、貯水装置１が所定量以上の水を貯留するようなことがあった場合においても、貯水装置１の各部で水がオーバーフローしたり、逆流等したりすることを防止できる。
【００２６】
以上、実施形態を通じて本考案に係る貯水装置を説明したが、本考案は明細書内で説明した内容のみに限定されるものでなく、実用新案登録請求の範囲の記載に基づいて適宜変更することが可能である。
【符号の説明】
【００２７】
１  貯水装置、
１０  貯水部、
１１  タンク本体、
１３  接続部、
１４  配管、
１５  貯水タンクの蓋部、
１７  濾過部、
２０  集水部、
２１  透水性コンクリート、
２２  集水流路、
３０  第１導管、
４０  ポンプ（送出部）、
４１  ポンプ本体、
４２  ポンプのチューブ、
４３  ポンプの給水部、
５０  第２導管、
６０  補助貯水部、
７０  補助導管、
１００  家屋（建物）、
１１０  屋根（建物の外装）、
Ｇ１  地面、
Ｇ２  地中。
【図１】
0003215744.tif 000003
【図２】
0003215744.tif 000004